【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
コンテンツを受信する携帯端末であって、
識別情報により指定されるコンテンツを受信し、外部機器と無線通信を行う送受信手段と、
前記送受信手段が受信した前記識別情報により指定されるコンテンツを表示する表示手段と、
ユーザの指示を受付ける入力手段と、
前記送受信手段と、前記表示手段とを制御する制御手段と、
を備え、
前記制御手段は、
前記送受信手段が受信した前記識別情報により指定されるコンテンツを前記表示手段に表示するように、前記表示手段を制御し、
前記表示手段において前記識別情報により指定されるコンテンツの表示が行われているときに、前記識別情報により指定されるコンテンツの表示を前記外部機器において行うように指示する第１のユーザ指示が前記入力手段より入力された場合には、該コンテンツを識別するための情報を前記送受信手段より前記外部機器に送信するように制御し、
前記外部機器において前記識別情報により指定されるコンテンツの表示が行われているときに、該コンテンツの操作を指示する第２のユーザ指示と、該コンテンツの表示を前記表示手段において行うように指示する第３のユーザ指示とを受付けるための情報を前記表示手段に表示するように制御し、
前記第２のユーザ指示と前記第３のユーザ指示とを受付けるための情報を前記表示手段に表示しているときに、前記入力手段より前記第２のユーザ指示が入力された場合には、前記第２のユーザ指示に対応する操作のための情報を前記送受信手段より前記外部機器に送信するように制御し、
前記第２のユーザ指示と前記第３のユーザ指示とを受付けるための情報を前記表示手段に表示しているときに、前記入力手段より前記第３のユーザ指示が入力された場合には、前記第３のユーザ指示に対応する表示の制御のための情報を前記送受信手段より前記外部機器に送信するように制御し、かつ、前記識別情報により指定されるコンテンツを前記表示手段に表示するように制御する、
ことを特徴とする携帯端末。
【請求項２】
コンテンツを受信する携帯端末における情報の送受信方法であって、
前記携帯端末は外部機器と無線通信可能な携帯端末であり、
識別情報により指定されるコンテンツを受信し、
受信した前記識別情報により指定されるコンテンツを前記携帯端末において表示し、
受信した前記識別情報により指定されるコンテンツの表示が行われているときに、前記識別情報により指定されるコンテンツの表示を前記外部機器において行うように指示する第１のユーザ指示が入力された場合には、該コンテンツを識別するための情報を前記外部機器に送信するとともに、前記識別情報により指定されるコンテンツの操作を指示する第２のユーザ指示と、前記識別情報により指定されるコンテンツの表示を前記携帯端末において行うように指示する第３のユーザ指示とを受付けるための情報を表示し、
前記第２のユーザ指示と前記第３のユーザ指示とを受付けるための情報を表示しているときに、前記第２のユーザ指示が入力された場合には、前記第２のユーザ指示に対応する操作のための情報を前記外部機器に送信し、かつ、
前記第２のユーザ指示と前記第３のユーザ指示とを受付けるための情報を表示しているときに、前記第３のユーザ指示が入力された場合には、前記第３のユーザ指示に対応する表示の制御のための情報を前記外部機器に送信するとともに、前記識別情報により指定されるコンテンツを前記携帯端末において表示する、
ことを特徴とする情報の送受信方法。
【請求項３】
コンテンツを受信する携帯端末であって、
識別情報により指定されるコンテンツを受信し、外部機器と無線通信を行う送受信手段と、
前記送受信手段が受信した前記識別情報により指定されるコンテンツを表示する表示手段と、
ユーザの指示を受付ける入力手段と、
前記送受信手段と、前記表示手段とを制御する制御手段と、
を備え、
前記制御手段は、
前記送受信手段が受信した前記識別情報により指定されるコンテンツを前記表示手段に表示するように、前記表示手段を制御し、
前記表示手段において前記識別情報により指定されるコンテンツの表示が行われているときに、第１のユーザ指示が前記入力手段より入力された場合には、該コンテンツを識別するための情報を前記送受信手段より前記外部機器に送信するように制御し、
前記外部機器において前記識別情報により指定されるコンテンツの表示が行われているときに、第２のユーザ指示と、第３のユーザ指示とを受付けるための情報を前記表示手段に表示するように制御し、
前記第２のユーザ指示と前記第３のユーザ指示とを受付けるための情報を前記表示手段に表示しているときに、前記入力手段より前記第２のユーザ指示が入力された場合には、前記第２のユーザ指示に対応する操作のための情報を前記送受信手段より前記外部機器に送信するように制御し、
前記第２のユーザ指示と前記第３のユーザ指示とを受付けるための情報を前記表示手段に表示しているときに、前記入力手段より前記第３のユーザ指示が入力された場合には、前記第３のユーザ指示に対応する表示の制御のための情報を前記送受信手段より前記外部機器に送信するように制御し、かつ、前記識別情報により指定されるコンテンツを前記表示手段に表示するように制御する、
ことを特徴とする携帯端末。
【請求項４】
コンテンツを受信する携帯端末における情報の送受信方法であって、
前記携帯端末は外部機器と無線通信可能な携帯端末であり、
識別情報により指定されるコンテンツを受信し、
受信した前記識別情報により指定されるコンテンツを前記携帯端末において表示し、
受信した前記識別情報により指定されるコンテンツの表示が行われているときに、第１のユーザ指示が入力された場合には、該コンテンツを識別するための情報を前記外部機器に送信するとともに、第２のユーザ指示と、第３のユーザ指示とを受付けるための情報を表示し、
前記第２のユーザ指示と前記第３のユーザ指示とを受付けるための情報を表示しているときに、前記第２のユーザ指示が入力された場合には、前記第２のユーザ指示に対応する操作のための情報を前記外部機器に送信し、かつ、
前記第２のユーザ指示と前記第３のユーザ指示とを受付けるための情報を表示しているときに、前記第３のユーザ指示が入力された場合には、前記第３のユーザ指示に対応する表示の制御のための情報を前記外部機器に送信するとともに、前記識別情報により指定されるコンテンツを前記携帯端末において表示する、
ことを特徴とする情報の送受信方法。
【請求項５】
コンテンツを受信する携帯端末であって、
識別情報により指定されるコンテンツを受信し、外部機器と無線通信を行う送受信手段と、
前記送受信手段が受信した前記識別情報により指定されるコンテンツを表示する表示手段と、
ユーザの指示を受付ける入力手段と、
前記送受信手段と、前記表示手段とを制御する制御手段と、
を備え、
前記制御手段は、
前記送受信手段が受信した前記識別情報により指定されるコンテンツを前記表示手段に表示するように制御し、
前記表示手段において前記識別情報により指定されるコンテンツの表示が行われているときに、前記識別情報により指定されるコンテンツの表示を前記外部機器において行うように指示する第１のユーザ指示が前記入力手段により入力された場合には、該コンテンツを識別するための情報を前記送受信手段より前記外部機器に送信するように制御し、
前記外部機器において前記識別情報により指定されるコンテンツの表示が行われているときに、前記識別情報により指定されるコンテンツの操作を指示する第２のユーザ指示を受付けるための情報を前記表示手段に表示するように制御し、
前記外部機器において前記識別情報により指定されるコンテンツの表示が行われているときに、前記入力手段より前記第２のユーザ指示が入力された場合には、前記第２のユーザ指示に対応する操作のための情報を前記送受信手段より前記外部機器に送信するように制御し、
前記外部機器において前記識別情報により指定されるコンテンツの表示が行われているときに、前記識別情報により指定されるコンテンツの表示を前記表示手段において行うように指示する第３のユーザ指示が前記入力手段より入力された場合には、前記第３のユーザ指示に対応する表示の制御のための情報を前記送受信手段より前記外部機器に送信するように制御し、かつ、前記識別情報により指定されるコンテンツを前記表示手段に表示するように制御する、
ことを特徴とする携帯端末。
【請求項６】
コンテンツを受信する携帯端末における情報の送受信方法であって、
前記携帯端末は外部機器と無線通信可能な携帯端末であり、
識別情報により指定されるコンテンツを受信し、
受信した前記識別情報により指定されるコンテンツを前記携帯端末において表示し、
受信した前記識別情報により指定されるコンテンツの表示が行われているときに、前記識別情報により指定されるコンテンツの表示を前記外部機器において行うように指示する第１のユーザ指示が入力された場合は、該コンテンツを識別するための情報を前記外部機器に送信し、
前記外部機器において前記識別情報により指定されるコンテンツの表示が行われているときに、前記識別情報により指定されるコンテンツの操作を指示する第２のユーザ指示を受付けるための情報を表示し、
前記外部機器において前記識別情報により指定されるコンテンツの表示が行われているときに、前記第２のユーザ指示が入力された場合には、前記第２のユーザ指示に対応する操作のための情報を前記外部機器に送信し、
前記外部機器において前記識別情報により指定されるコンテンツの表示が行われているときに、前記識別情報により指定されるコンテンツの表示を前記携帯端末において行うように指示する第３のユーザ指示が入力された場合には、前記第３のユーザ指示に対応する表示の制御のための情報を前記外部機器に送信し、かつ、前記識別情報により指定されるコンテンツを前記携帯端末において表示する、
ことを特徴とする情報の送受信方法。
【請求項７】
コンテンツを受信する携帯端末であって、
識別情報により指定されるコンテンツを受信し、外部機器と無線通信を行う送受信手段と、
前記送受信手段が受信した前記識別情報により指定されるコンテンツを表示する表示手段と、
ユーザの指示を受付ける入力手段と、
前記送受信手段と、前記表示手段とを制御する制御手段と、
を備え、
前記制御手段は、
前記送受信手段が受信した前記識別情報により指定されるコンテンツを前記表示手段に表示するように制御し、
前記表示手段において前記識別情報により指定されるコンテンツの表示が行われているときに、第１のユーザ指示が前記入力手段により入力された場合には、該コンテンツを識別するための情報を前記送受信手段より前記外部機器に送信するように制御し、
前記外部機器において前記識別情報により指定されるコンテンツの表示が行われているときに、第２のユーザ指示を受付けるための情報を前記表示手段に表示するように制御し、
前記外部機器において前記識別情報により指定されるコンテンツの表示が行われているときに、前記入力手段より前記第２のユーザ指示が入力された場合には、前記第２のユーザ指示に対応する操作のための情報を前記送受信手段より前記外部機器に送信するように制御し、
前記外部機器において前記識別情報により指定されるコンテンツの表示が行われているときに、前記入力手段より第３のユーザ指示が入力された場合には、前記第３のユーザ指示に対応する表示の制御のための情報を前記送受信手段より前記外部機器に送信するように制御し、かつ、
前記識別情報により指定されるコンテンツを前記表示手段に表示するように制御する、
ことを特徴とする携帯端末。
【請求項８】
コンテンツを受信する携帯端末における情報の送受信方法であって、
前記携帯端末は外部機器と無線通信可能な携帯端末であり、
識別情報により指定されるコンテンツを受信し、
受信した前記識別情報により指定されるコンテンツを前記携帯端末において表示し、
受信した前記識別情報により指定されるコンテンツの表示が行われているときに、第１のユーザ指示が入力された場合は、該コンテンツを識別するための情報を前記外部機器に送信し、
前記外部機器において前記識別情報により指定されるコンテンツの表示が行われているときに、第２のユーザ指示を受付けるための情報を表示し、
前記外部機器において前記識別情報により指定されるコンテンツの表示が行われているときに、前記第２のユーザ指示が入力された場合には、前記第２のユーザ指示に対応する情報を前記外部機器に送信し、
前記外部機器において前記識別情報により指定されるコンテンツの表示が行われているときに、第３のユーザ指示が入力された場合には、前記第３のユーザ指示に対応する情報を前記外部機器に送信し、かつ
前記識別情報により指定されるコンテンツを前記携帯端末において表示する、
ことを特徴とする情報の送受信方法。
【手続補正２】
【補正対象書類名】明細書
【補正対象項目名】発明の名称
【補正方法】変更
【補正の内容】
【発明の名称】携帯端末、及び情報の送受信方法
【手続補正３】
【補正対象書類名】明細書
【補正対象項目名】０１４４
【補正方法】変更
【補正の内容】
【０１４４】
以上、各実施例について説明したが。モバイル端末１０１に代えて、その他の情報処理端末としても、インターネットによる通信と、複数の端末間で、円滑なアクセスの切り替えを行うことができる。
以上の通り、本発明は、携帯端末でのコンテンツの視聴を円滑に情報処理装置に引継ぐことが可能な携帯端末、情報処理装置、コンテンツ表示システム及びコンテンツ表示方法を提供することを目的とする。そして、少なくとも以下を含む実施例を説明してきた。
（１）コンテンツ情報を受信する受信手段と、外部の情報機器と通信を行う外部機器通信手段と、前記受信手段により受信したコンテンツ情報を表示する表示手段と、前記表示手段に表示したコンテンツ情報を識別する識別情報を取得する取得手段と、ユーザの操作指示を受け付ける操作手段と、前記コンテンツ情報を表示している間に前記操作手段により前記識別情報の送信指示を受け付けた場合、前記取得手段により取得した前記識別情報を前記外部の情報機器に送信するとともに、前記表示手段による前記コンテンツ情報の表示を終了するよう制御する制御手段と、を備えることを特徴とする携帯端末。
（２）前記制御手段は、前記操作手段により前記外部の情報機器による前記コンテンツ情報の表示の終了を指示する操作がなされた場合、前記外部の情報機器に前記コンテンツ情報の終了を指示する信号を送信するとともに、前記表示手段による前記コンテンツ情報の表示を再開するように制御することを特徴とする（１）に記載の携帯端末。
（３）前記識別情報の送信指示は、所定のボタンの押下操作によりなされ、前記表示手段は、前記所定のボタンの押下操作により前記コンテンツ情報の表示の主体を切り換える旨を表示し、前記制御手段は、前記識別情報が送信された後に、前記所定のボタンの押下操作がなされた場合には、前記外部の情報機器に前記コンテンツ情報の終了を指示する信号を送信するとともに、前記表示手段による前記コンテンツ情報の表示を再開するように制御することを特徴とする（１）に記載の携帯端末。
（４）前記制御手段は、前記操作手段により前記外部の情報機器による前記コンテンツ情報の表示の終了を指示する操作がなされた場合、前記外部の情報機器にて出力されているコンテンツ情報を識別する識別情報を送信するように指示する信号を、前記外部の情報機器に送信し、前記外部の情報機器より識別情報を受信し、該受信した識別情報に対応するコンテンツ情報を受信し、該受信したコンテンツ情報を前記表示手段により表示するように制御することを特徴とする（１）に記載の携帯端末。
（５）前記制御手段は、前記識別情報を前記外部の情報機器に送信した後に、前記携帯端末を前記外部の情報機器を操作するリモコンとして機能させるように制御することを特徴とする（１）に記載の携帯端末。
（６）前記制御手段は、前記操作手段により前記外部の情報機器による前記コンテンツ情報の表示の終了を指示する操作がなされた場合、前記携帯端末をリモコンとして機能させる制御を終了するように制御することを特徴とする（５）に記載の携帯端末。
（７）前記コンテンツ情報は、インターネットサイトのコンテンツ情報であり、前記表示手段は、前記受信手段によりコンテンツ情報を受信したインターネットサイトを表示し、前記識別情報は、前記インターネットサイトのＵＲＬ情報であり、前記携帯端末は、前記表示手段上でインターネットサイトを表示している状態を示す表示情報を取得する表示情報取得手段を備え、前記制御手段は、前記コンテンツ情報を表示している間に前記操作手段により前記識別情報の送信指示を受け付けた場合、前記表示情報取得手段に取得した前記ＵＲＬ情報と前記ＵＲＬ情報に対応づけられた表示情報とを前記外部の情報機器に送信するように制御することを特徴とする（１）に記載の携帯端末。
（８）前記表示情報とは、前記携帯端末上でインターネットサイトの表示している間に行った操作の履歴を示す履歴情報であることを特徴とする（７）に記載の携帯端末。
（９）前記表示情報とは、前記携帯端末上でインターネットサイトとともに表示されていたポインターの位置を示す情報であることを特徴とする（７）に記載の携帯端末。
（１０）前記外部機器通信手段は赤外線を利用した赤外線通信手段であり、前記制御手段は、前記識別情報を送信する場合、通信の開始を指示するコマンドを前記赤外線通信手段により前記外部の情報機器に送信し、該送信の後にＩｒＤＡ規格に準拠した赤外線通信を開始して前記識別情報の送信を行うことを特徴とする（１）に記載の携帯端末。
（１１）コンテンツ情報を入力する入力手段と、携帯端末と通信を行う通信手段と、前記入力手段により入力されたコンテンツ情報を表示する表示手段と、前記表示手段にて第１のコンテンツ情報を表示している間に、前記携帯端末上で表示された第２のコンテンツ情報を識別する識別情報を前記携帯端末から前記通信手段により受信した場合に、前記表示手段にて表示する前記識別情報に対応する第２のコンテンツ情報を前記入力手段より入力し、前記表示手段により前記第１のコンテンツに代えて前記入力した第２のコンテンツ情報を表示するように制御し、前記表示手段による前記第２のコンテンツ情報の終了を指示する指示信号を前記通信手段により受信した場合には、前記第２のコンテンツ情報の表示を終了し、前記第１のコンテンツの表示を再開するように制御する制御手段と、を備えることを特徴とする情報処理装置。
（１２）前記表示手段による前記第２のコンテンツ情報の終了を指示する指示信号を前記携帯端末から前記通信手段により受信した場合には、前記指示信号を受信した際に前記表示手段に表示されていた第２のコンテンツ情報を識別する識別情報を、前記携帯端末に送信するように制御することを特徴とする（１１）に記載の情報処理装置。
（１３）前記第２のコンテンツ情報とは、インターネットサイトのコンテンツ情報であり、前記表示手段は、前記入力手段により入力したコンテンツ情報表示したインターネットサイトを表示し、前記識別情報とは、前記インターネットサイトのＵＲＬ情報であり、前記制御手段は、前記携帯端末にて表示されていたインターネットサイトに対応するＵＲＬ情報とともに、前記インターネットサイトが携帯端末に表示されていた状態を示す表示情報を前記通信手段により受信した場合、前記URL情報が示すインターネットサイトを前記表示情報が示す状態で表示するように制御することを特徴とする（１１）に記載の情報処理装置。
（１４）前記表示情報とは、前記携帯端末上でのインターネットサイトを表示している間に行った操作の履歴を示す履歴情報であることを特徴とする（１３）に記載の情報処理装置。
（１５）前記表示情報とは、前記携帯端末においてインターネットサイトとともに表示されていたポインターの位置を示す情報であることを特徴とする（１３）に記載の情報処理装置。
（１６）前記通信手段は赤外線を利用した赤外線通信手段であり、前記制御手段は、ＩｒＤＡ規格に準拠した赤外線通信するための汎用コマンドを該赤外線通信手段により受信すると、ＩｒＤＡ規格に準拠した赤外線通信を開始し、前記ＩｒＤＡ規格に準拠した赤外線通信により前記識別情報を送信あるいは受信することを特徴とする（１１）に記載の情報処理装置。
（１７）携帯端末と情報処理装置とからなるコンテンツ表示システムであって、前記携帯端末は、第１のコンテンツ情報を受信する受信手段と、外部の情報機器と通信を行う外部機器通信手段と、前記受信手段により受信した第１のコンテンツ情報を表示する第１の表示手段と、前記第１の表示手段に表示した第１のコンテンツ情報を識別する識別情報を取得する取得手段と、ユーザの操作指示を受け付ける操作手段と、前記携帯端末を制御する携帯端末制御手段と、を備え、前記情報処理装置は、第２のコンテンツ情報を入力する入力手段と、携帯端末と通信を行う通信手段と、前記入力手段により入力された第２のコンテンツ情報を表示する第２の表示手段と、前記情報処理装置を制御する情報処理装置制御手段と、を備え、前記携帯端末制御手段は、前記第１のコンテンツ情報を表示している間に前記操作手段により前記識別情報の送信指示を受け付けた場合、前記取得手段により取得した前記識別情報を前記外部の情報機器に送信するとともに、前記表示手段による前記コンテンツ情報の表示を終了するよう制御し、前記情報処理装置制御手段は、前記第２のコンテンツ情報を表示している間に、前記携帯端末上で表示されたコンテンツ情報を識別する識別情報を前記通信手段により受信した場合に、前記表示手段にて表示する前記識別情報に対応する第１のコンテンツ情報を前記入力手段より入力し、前記表示手段により前記第１のコンテンツに代えて前記入力した第２のコンテンツ情報を表示するように制御することを特徴とするコンテンツ表示システム。
（１８）コンテンツ情報を表示可能な外部の情報機器と通信を行う携帯端末であって、ユーザの操作を受け付ける操作手段と、前記外部の情報機器がコンテンツ情報を表示している間に前記操作手段により前記外部の情報機器によるコンテンツ情報の表示を終了する旨の操作を受け付けた場合、前記外部の情報機器によるコンテンツ情報の終了を指示する信号を送信し、その後前記外部の情報機器において表示しているコンテンツ情報を識別する識別情報を前記外部の情報機器から受信する外部機器通信手段と、前記外部機器通信手段により受信した識別情報によって示されるコンテンツ情報を受信する受信手段と、前記受信手段により受信したコンテンツ情報を表示する表示手段と、を備えることを特徴とする携帯端末。
（１９）コンテンツ情報の表示を携帯端末と情報処理装置の間で引継ぐコンテンツ表示方法であって、携帯端末でコンテンツ情報を受信するステップと、前記受信したコンテンツ情報を表示するステップと、前記表示したコンテンツ情報の識別情報を取得するステップと、ユーザの所定の操作を受け付けた場合に、前記コンテンツ情報の表示を終了させ、前記取得した識別情報を前記情報処理装置に送信するステップと、前記情報処理装置で前記送信された識別情報を受信するステップと、前記受信した識別情報に対応するコンテンツ情報を受信するステップと、前記受信したコンテンツ情報を前記情報処理装置にて表示するステップと、を有することを特徴とするコンテンツ表示方法。
本発明によると、携帯端末でのコンテンツの視聴を円滑に情報処理装置に引継ぐことが可能な携帯端末、情報処理装置、コンテンツ表示システム及びコンテンツ表示方法を提供することが可能となる。